(57)【要約】 【課題】従来の折り畳みテーブルは、収納スペースも小さくできることから、従来より広く使用されてきているが、ソファの肘掛けなどに設置した場合には大きすぎたり、また安定使用ができず、逆にその安定性を優先すると着脱可能の便利さや収納のし易さが損なわれていた。【解決手段】適度な大きさの天板3が、一方の略端部に第一蝶番部Pを介して回動可能に連結された第一挟持用側板2aを、さらに他方の略端部に第二蝶番部Qを介して回動可能に連結された第二挟持用側板2bを備えており、第一挟持用側板2aは天板下面4との挟角角度が選択的に略固定可能であり、また第二挟持用側板2bは付勢力をもったバネによって天板下面4へ接近する方向に回動し、それら両側板でソファの肘掛けを挟持することにより肘掛け上面Aに載置された天板3の略固定が可能であることを特徴とする、天板載置型の挟持固定式折り畳みテーブル。【選択図】図１
2007151927.tif 000002
【特許請求の範囲】
【請求項１】
折り畳みテーブルにおいて、天板と該天板の一方の略端部に取り付けられた第一挟持用側板および、同じく該天板の他方の略端部に取り付けられた第二挟持用側板を備えており、第一挟持用側板は、天板と第一蝶番部を介して回動可能に連結され、さらに天板下面と第一挟持用側板との挟角角度が選択的に略固定可能な構造を有しており、第二挟持用側板は、天板と第二蝶番部を介して回動可能に連結され、さらに第二挟持用側板を天板下面へ接近させる方向に回動しうる付勢力をもったバネが取り付けられていることを特徴とする天板載置型の挟持固定式テーブル。
【請求項２】
折り畳みテーブルにおいて、天板と、該天板と一部を連結または接合されて該天板下部で該天板と互いに接しながら該天板を支える天板下支材を有し、さらに天板の一方の略端部下部の天板下支材に取り付けられた第一挟持用側板および、同じく天板の他方の略端部下部の天板下支材に取り付けられた第二挟持用側板を備えており、第一挟持用側板は、天板下支材と第一蝶番部を介して回動可能に連結され、さらに天板下支材下面と第一挟持用側板との挟角角度が選択的に略固定可能な構造を有しており、第二挟持用側板は、天板下支材と第二蝶番部を介して回動可能に連結され、さらに第二挟持用側板を天板下支材下面へ接近させる方向に回動しうる付勢力をもったバネが取り付けられていることを特徴とする天板載置型の挟持固定式テーブル。
【請求項３】
折り畳みテーブルにおいて、天板と、該天板と一部を連結または接合されて該天板下部で該天板と互いに接しながら該天板を支える天板下支材を有し、さらに天板の一方の略端部に取り付けられた第一挟持用側板および、天板の他方の略端部下部の天板下支材に取り付けられた第二挟持用側板を備えており、第一挟持用側板は、天板と第一蝶番部を介して回動可能に連結され、さらに天板下面と第一挟持用側板との挟角角度が選択的に略固定可能な構造を有しており、第二挟持用側板は、天板下支材と第二蝶番部を介して回動可能に連結され、さらに第二挟持用側板を天板下支材下面へ接近させる方向に回動しうる付勢力をもったバネが取り付けられていることを特徴とする天板載置型の挟持固定式テーブル。
【請求項４】
折り畳みテーブルにおいて、天板と、該天板と一部を連結または接合されて該天板下部で該天板と互いに接しながら該天板を支える天板下支材を有し、さらに天板の一方の略端部下部の天板下支材に取り付けられた第一挟持用側板および、天板の他方の略端部に取り付けられた第二挟持用側板を備えており、第一挟持用側板は、天板下支材と第一蝶番部を介して回動可能に連結され、さらに天板下支材下面と第一挟持用側板との挟角角度が選択的に略固定可能な構造を有しており、第二挟持用側板は、天板と第二蝶番部を介して回動可能に連結され、さらに第二挟持用側板を天板下面へ接近させる方向に回動しうる付勢力をもったバネが取り付けられていることを特徴とする天板載置型の挟持固定式テーブル。
【請求項５】
前記天板が伸縮自在な構造を有していることを特徴とする請求項１、２、３又は４記載の天板載置型の挟持固定式テーブル。
【請求項６】
前記天板下支材が伸縮自在な構造を有していることを特徴とする請求項２、３、４又は５記載の天板載置型の挟持固定式テーブル。
【請求項７】
前記第一蝶番部が互いに独立可動可能でかつ前記第一蝶番部と同等の機能を有する複数の第一分蝶番部で構成され、さらに該第一分蝶番部それぞれを介して、前記第一挟持用側板を構成する複数の第一挟持用側分板が互いに独立回動可能に、天板もしくは天板下支材と連結されていることを特徴とする請求項１、２、３、４、５又は６記載の天板載置型の挟持固定式テーブル。
【請求項８】
前記第二蝶番部が互いに独立可動可能でかつ前記第二蝶番部と同等の機能を有する複数の第二分蝶番部で構成され、さらに該第二分蝶番部それぞれを介して、前記第二挟持用側板を構成する複数の第二挟持用側分板が互いに独立回動可能に、天板もしくは天板下支材と連結されていることを特徴とする請求項１、２、３、４、５、６又は７記載の天板載置型の挟持固定式テーブル。
【請求項９】
前記天板が互いに独立伸縮可能な複数の分天板で構成され、さらに該分天板の一部に前記第一挟持用側分板との連結を介する前記第一分蝶番部もしくは、前記第二挟持用側分板との連結を介する前記第二分蝶番部を備えうることを特徴とする請求項１、２、３、４、５、６、７又は８記載の天板載置型の挟持固定式テーブル。
【請求項１０】
前記天板下支材が互いに独立伸縮可能な複数の分天板下支材で構成され、さらに該分天板下支材の一部に前記第一挟持用側分板との連結を介する前記第一分蝶番部もしくは、前記第二挟持用側分板との連結を介する前記第二分蝶番部を備えうることを特徴とする請求項２、３、４、５、６、７、８又は９記載の天板載置型の挟持固定式テーブル。
【請求項１１】
前記天板もしくは前記分天板もしくは前記天板下支材もしくは前記分天板下支材の長さを収縮させる付勢力をもったバネを有していることを特徴とする請求項１、２、３、４、５、６、７、８、９又は１０記載の天板載置型の挟持固定式テーブル。
【請求項１２】
前記第二挟持用側板もしくは前記第二挟持用側分板が長手方向に伸縮自在な構造を有していることを特徴とする請求項１、２、３、４、５、６、７、８、９、１０又は１１記載の天板載置型の挟持固定式テーブル。
【請求項１３】
前記第二挟持用側板もしくは前記第二挟持用側分板を天板下面方向に回動させるバネの代わりに、前記天板下面もしくは前記天板下支材下面と、前記第二挟持用側板もしくは前記第二挟持用側分板との挟角角度が選択的に略固定可能な構造を有していることを特徴とする請求項１、２、３、４、５、６、７、８、９、１０、１１又は１２記載の天板載置型の挟持固定式テーブル。
【請求項１４】
前記第一挟持用側板および前記第一挟持用側分板および前記第二挟持用側板および前記第二挟持用側分板のいずれか、もしくは複数の一部に滑りにくく接面を傷めにくいゴム材等の素材を使用していることを特徴とする請求項１、２、３、４、５、６、７、８、９、１０、１１、１２又は１３記載の天板載置型の挟持固定式テーブル。
【請求項１５】
前記第二挟持用側板もしくは前記第二挟持用側分板の素材に、前記第一挟持用側板もしくは前記第一挟持用側分板よりも軽量な素材を使用するか、または前記第二挟持用側板もしくは前記第二挟持用側分板の構造を、前記第一挟持用側板もしくは前記第一挟持用側分板よりもさらに軽量化された構造にしていることを特徴とする請求項１、２、３、４、５、６、７、８、９、１０、１１、１２、１３又は１４記載の天板載置型の挟持固定式テーブル。
【請求項１６】
前記第一挟持用側板および前記第一挟持用側分板および前記第二挟持用側板および前記第二挟持用側分板のいずれか、もしくは複数を種々のアーム形状にしていることを特徴とする請求項１、２、３、４、５、６、７、８、９、１０、１１、１２、１３、１４又は１５記載の天板載置型の挟持固定式テーブル。
【発明の詳細な説明】
【技術分野】
【０００１】
本発明は、ソファの肘掛けなどに着脱自在に取り付け可能な折り畳みテーブルに関する。
【背景技術】
【０００２】
折り畳みテーブルは、不使用時に脚部を折り畳んで片付けることができ、また収納スペースも小さくできることから、狭い住居スペースを効率よく使えるため、従来より広く使用されてきている。
【発明の開示】
【発明が解決しようとする課題】
【０００３】
しかしながら、従来の技術によれば、ソファの肘掛けなどに設置した場合には大きすぎたり、また安定した使用ができず、逆にその安定性を優先した場合には、着脱可能の便利さや、不使用時の収納し易さが損なわれていた。 
【０００４】
そこで、この発明は、従来の折り畳みテーブルの着脱、収納の容易さを損なわず、またソファの肘掛けなどへの装着時も安定して使用できる、適度な大きさの天板と、適度な長さとバランスをもった挟持用側板を備えた折り畳みテーブルを提供することを課題とする。
【課題を解決するための手段】
【０００５】
以上の課題を解決するために、第一発明は、適度な大きさの天板と該天板の一方の略端部に取り付けられた第一挟持用側板および、同じく該天板の他方の略端部に取り付けられた第二挟持用側板を備えており、第一挟持用側板は、天板と第一蝶番部を介して回動可能に連結され、さらに天板下面と第一挟持用側板との挟角角度が選択的に略固定可能な構造を有しており、第二挟持用側板は、天板と第二蝶番部を介して回動可能に連結され、さらに第二挟持用側板を天板下面へ接近させる方向に回動しうる付勢力をもったバネが取り付けられており、それら第一挟持用側板および第二挟持用側板とでソファの肘掛けなどを挟持することによって、肘掛けなどの上部に載置された天板の略固定が可能であることを特徴とする、天板載置型の挟持固定式折り畳みテーブルである。（請求項１）        
【０００６】
また、第二発明は、適度な大きさの天板と、該天板下部に該天板と一部を連結または接合されて該天板と互いに接しながら該天板を支える天板下支材を有し、さらに天板の一方の略端部下部の天板下支材に取り付けられた第一挟持用側板および、同じく天板の他方の略端部下部の天板下支材に取り付けられた第二挟持用側板を備えており、第一挟持用側板は、天板下支材と第一蝶番部を介して回動可能に連結され、さらに天板下支材下面と第一挟持用側板との挟角角度が選択的に略固定可能な構造を有しており、第二挟持用側板は、天板下支材と第二蝶番部を介して回動可能に連結され、さらに第二挟持用側板を天板下支材下面へ接近させる方向に回動しうる付勢力をもったバネが取り付けられており、それら第一挟持用側板および第二挟持用側板とでソファの肘掛けなどを挟持することによって、肘掛けなどの上部に載置された天板の略固定が可能であることを特徴とする、天板載置型の挟持固定式折り畳みテーブルである。（請求項２）
【０００７】
また、第三発明は、適度な大きさの天板と、該天板下部に該天板と一部を連結または接合されて該天板と互いに接しながら該天板を支える天板下支材を有し、さらに天板の一方の略端部に取り付けられた第一挟持用側板および、天板の他方の略端部下部の天板下支材に取り付けられた第二挟持用側板を備えており、第一挟持用側板は、天板と第一蝶番部を介して回動可能に連結され、さらに天板下面と第一挟持用側板との挟角角度が選択的に略固定可能な構造を有しており、第二挟持用側板は、天板下支材と第二蝶番部を介して回動可能に連結され、さらに第二挟持用側板を天板下支材下面へ接近させる方向に回動しうる付勢力をもったバネが取り付けられており、それら第一挟持用側板および第二挟持用側板とでソファの肘掛けなどを挟持することによって、肘掛けなどの上部に載置された天板の略固定が可能であることを特徴とする、天板載置型の挟持固定式折り畳みテーブルである。（請求項３）
【０００８】
また、第四発明は、適度な大きさの天板と、該天板下部に該天板と一部を連結または接合されて該天板と互いに接しながら該天板を支える天板下支材を有し、さらに天板の一方の略端部下部の天板下支材に取り付けられた第一挟持用側板および、天板の他方の略端部に取り付けられた第二挟持用側板を備えており、第一挟持用側板は、天板下支材と第一蝶番部を介して回動可能に連結され、さらに天板下支材下面と第一挟持用側板との挟角角度が選択的に略固定可能な構造を有しており、第二挟持用側板は、天板と第二蝶番部を介して回動可能に連結され、さらに第二挟持用側板を天板下面へ接近させる方向に回動しうる付勢力をもったバネが取り付けられており、それら第一挟持用側板および第二挟持用側板とでソファの肘掛けなどを挟持することによって、肘掛けなどの上部に載置された天板の略固定が可能であることを特徴とする、天板載置型の挟持固定式折り畳みテーブルである。（請求項４）
【０００９】
また、第五発明は、以上の第一〜第四発明として記載された天板載置型の挟持固定式折り畳みテーブルにおいて、前記天板が伸縮自在な構造を有していることを特徴とする。（請求項５）
【００１０】
また、第六発明は、以上の第二〜第五発明として記載された天板載置型の挟持固定式折り畳みテーブルにおいて、前記天板下支材が伸縮自在な構造を有していることを特徴とする。（請求項６）
【００１１】
また、第七発明は、以上の第一〜第六発明として記載された天板載置型の挟持固定式折り畳みテーブルにおいて、前記第一蝶番部が互いに独立可動可能でかつ前記第一蝶番部と同等の機能を有する複数の第一分蝶番部で構成され、さらに該第一分蝶番部それぞれを介して、前記第一挟持用側板を構成している複数の第一挟持用側分板が互いに独立回動可能に、天板もしくは天板下支材と連結されていることを特徴とする。（請求項７）
【００１２】
また、第八発明は、以上の第一〜第七発明として記載された天板載置型の挟持固定式折り畳みテーブルにおいて、前記第二蝶番部が互いに独立可動可能でかつ前記第二蝶番部と同等の機能を有する複数の第二分蝶番部で構成され、さらに該第二分蝶番部それぞれを介して、前記第二挟持用側板を構成している複数の第二挟持用側分板が互いに独立回動可能に、天板もしくは天板下支材と連結されていることを特徴とする。（請求項８）
【００１３】
また、第九発明は、以上の第一〜第八発明として記載された天板載置型の挟持固定式折り畳みテーブルにおいて、前記天板が互いに独立伸縮可能な複数の分天板で構成され、さらに該分天板の一部に前記第一挟持用側分板との連結を介する前記第一分蝶番部もしくは、前記第二挟持用側分板との連結を介する前記第二分蝶番部を備えうることを特徴とする。（請求項９）
【００１４】
また、第十発明は、以上の第二〜第九発明として記載された天板載置型の挟持固定式折り畳みテーブルにおいて、前記天板下支材が互いに独立伸縮可能な複数の分天板下支材で構成され、さらに該分天板下支材の一部に前記第一挟持用側分板との連結を介する前記第一分蝶番部もしくは、前記第二挟持用側分板との連結を介する前記第二分蝶番部を備えうることを特徴とする。（請求項１０）
【００１５】
また、第十一発明は、以上の第一〜第十発明として記載された天板載置型の挟持固定式折り畳みテーブルにおいて、前記天板もしくは前記分天板もしくは前記天板下支材もしくは前記分天板下支材の長さを収縮させる付勢力をもったバネを有していることを特徴とする。（請求項１１）
【００１６】
また、第十二発明は、以上の第一〜第十一発明として記載された天板載置型の挟持固定式折り畳みテーブルにおいて、前記第二挟持用側板もしくは前記第二挟持用側分板が長手方向に伸縮自在な構造を有していることを特徴とする。（請求項１２）
【００１７】
また、第十三発明は、以上の第一〜第十二発明として記載された天板載置型の挟持固定式折り畳みテーブルにおいて、前記第二挟持用側板もしくは前記第二挟持用側分板を天板下面方向に回動させるバネの代わりに、前記天板下面もしくは前記天板下支材下面と、前記第二挟持用側板もしくは前記第二挟持用側分板との挟角角度が選択的に略固定可能な構造を有していることを特徴とする。（請求項１３）
【００１８】
また、第十四発明は、以上の第一〜第十三発明として記載された天板載置型の挟持固定式折り畳みテーブルにおいて、前記第一挟持用側板、前記第一挟持用側分板、前記第二挟持用側板、前記第二挟持用側分板のいずれか、もしくは複数の一部に、滑りにくく接面を傷めにくいゴム材等の素材を使用していることを特徴とする。（請求項１４）
【００１９】
また、第十五発明は、以上の第一〜第十四発明として記載された天板載置型の挟持固定式折り畳みテーブルにおいて、肘掛けなどの上面から張り出した位置で挟持機能を果たす場合の多い前記第二挟持用側板もしくは前記第二挟持用側分板の素材に、前記第一挟持用側板および前記第一挟持用側分板よりも軽量な素材を使用するか、もしくは前記第二挟持用側板もしくは前記第二挟持用側分板の構造を、前記第一挟持用側板および前記第一挟持用側分板よりもさらに軽量化された構造にしていることを特徴とする。（請求項１５）
【００２０】
また、第十六発明は、以上の第一〜第十五発明として記載された天板載置型の挟持固定式折り畳みテーブルにおいて、前記第一挟持用側板、前記第一挟持用側分板、前記第二挟持用側板、前記第二挟持用側分板のいずれか、もしくは複数を種々のアーム形状にしていることを特徴とする。（請求項１６）
【発明の効果】
【００２１】
本発明は、上記のような構成を有することで、ソファの肘掛けなどに装着する場合に、第一蝶番部が肘掛けの一側面の略上部となる位置で、第一挟持用側板と第二挟持用側板を天板下面から引き離すように開いた状態にして、天板を肘掛け上面に略水平に載置するが、この際、第一蝶番部と第二蝶番部との間の長さの方が肘掛けの幅より大きくなる場合が多いため、第二蝶番部および第二挟持用側板は肘掛け上面から張り出した位置にくることが多くなる。さらに第一挟持用側板を下方に回動させて肘掛けの一側面に接した位置で、天板下面と第一挟持用側板との挟角角度を略固定するが、この角度は９０度もしくは９０度以下が天板の略固定に適する場合が多い。
【００２２】
さらに第二挟持用側板をリリースすると、取り付けられたバネの付勢力によって肘掛けの他側面が押圧されるが、この際の第二挟持用側板と肘掛け他側面との、正面から見た接点の位置を、天板下面と肘掛け上面との第二蝶番部側の接面端部を中心として半径が該接面端部から第二蝶番部までの長さに等しい円周上もしくはその円周付近の円内部においた場合に、該接面端部を支点として下方回転方向に生じる天板へのモーメントを、第二挟持用側板による天板支持力と、略固定された第一挟持用側板の抗力とで力学的な平衡状態に近づけることができるため、第二挟持用側板の長手方向の長さはこの位置関係を考慮調整して、天板が安定しやすい最適な長さに決定することができる。
【００２３】
このように、略固定された第一挟持用側板の抗力と、第二挟持用側板の支持力とで、天板へのモーメントも考慮された力学的にも安定度の高い挟持が肘掛けに対して適用できるため、載置された天板の略水平状態は安定して維持可能となる。以上のようにテーブル本体の高い安定性が簡単な操作で得られ、また着脱も容易であり、さらに両挟持用側板を天板下部に折り畳んだ際には収納もし易い。
【００２４】
また、天板下部に、天板と一部を連結または接合されて天板と接しながら天板を支える天板下支材を有する構造にしてもよく、その場合、第一蝶番部および第二蝶番部をそれぞれ天板と天板下支材のどちらに取り付けた際でも同様の挟持機能が実現でき、天板の安定した略水平維持が可能である。
【００２５】
また、第二挟持用側板を天板下面もしくは天板下支材下面方向に回動させるバネの代わりに、天板下面もしくは天板下支材下面と第二挟持用側板との挟角角度が選択的に略固定可能な構造にしてもよく、その場合も第二挟持用側板の支持力はほぼ同様に発揮されるため、第一挟持用側板の抗力と第二挟持用側板の支持力とで、天板へのモーメントを考慮した、安定した天板の略水平維持が可能となる。
【００２６】
また、第二挟持用側板を長手方向に伸縮自在な構造にするなどして第二蝶番部から、第二挟持用側板と肘掛け側面とが接する部分までの長さを可変にしてもよく、そうすることで第二挟持用側板と肘掛け側面との正面から見た接点が、天板と肘掛け上面との第二蝶番部側の接面端部を中心として半径が該接面端部から第二蝶番部までの長さに等しい円周上もしくはその円周付近の円内部におかれるように、肘掛けの幅に合わせた調整が実現できるため、肘掛けの形態に応じたテーブル本体の変形が可能となり、天板の安定維持対象が拡大できる。
【００２７】
また、天板もしくは天板下支材を、第一蝶番部と第二蝶番部との間の長さが自在に調節できるような、伸縮自在な構造にしてもよく、そうすることで第二挟持用側板と肘掛け側面との正面から見た接点が、天板もしくは天板下支材と肘掛け上面との第二蝶番部側の接面端部を中心として半径が該接面端部から第二蝶番部までの長さに等しい円周上もしくはその円周付近の円内部におかれるように、肘掛けの幅に合わせた調整が実現できるため、肘掛けの形態に応じたテーブル本体の変形が可能となり、天板の安定維持対象が拡大できる。
【００２８】
また、第一蝶番部が互いに独立可動可能でかつ第一蝶番部と同等の機能を有する複数の第一分蝶番部で構成され、さらに該第一分蝶番部それぞれを介して、第一挟持用側板を構成している複数の第一挟持用側分板が互いに独立回動可能に、天板もしくは天板下支材と連結されている構造にしてもよく、そうすることで肘掛け側面の前方から後方にかけて様々な起伏を有する肘掛けに対しての挟持安定効果が向上し、天板の安定維持対象が拡大できる。
【００２９】
また、第二蝶番部が互いに独立可動可能でかつ第二蝶番部と同等の機能を有する複数の第二分蝶番部で構成され、さらに該第二分蝶番部それぞれを介して、第二挟持用側板を構成している複数の第二挟持用側分板が互いに独立回動可能に、天板もしくは天板下支材と連結されている構造にしてもよく、そうすることで肘掛け側面の前方から後方にかけて様々な起伏を有する肘掛けに対しての挟持安定効果が向上し、天板の安定維持対象が拡大できる。
【００３０】
また、天板が互いに独立伸縮可能な複数の分天板で構成され、さらに該分天板の一部に第一挟持用側分板との連結を介する第一分蝶番部もしくは、第二挟持用側分板との連結を介する第二分蝶番部を備えうる構造にしてもよく、そうすることで肘掛け側面の前方から後方にかけて起伏を有する、肘掛け前後の幅に変化のある形状にも効果的な挟持安定機能が同様に発揮でき、天板の安定維持対象が拡大できる。
【００３１】
また、天板下支材が互いに独立伸縮可能な複数の分天板下支材で構成され、さらに該分天板下支材の一部に第一挟持用側分板との連結を介する第一分蝶番部もしくは、第二挟持用側分板との連結を介する第二分蝶番部を備えている構造にしてもよく、そうすることで肘掛け側面の前方から後方にかけて起伏を有する、肘掛け前後の幅に変化のある形状にも効果的な挟持安定機能が同様に発揮でき、天板の安定維持対象が拡大できる。
【００３２】
また、天板もしくは分天板もしくは天板下支材もしくは分天板下支材の長さを収縮させる付勢力をもったバネが取り付けられている構造にしてもよく、そうすることで第二挟持用側板もしくは第二挟持用側分板が伸縮機能やバネによる回動付勢力を有していない場合でも、天板下面等との挟角角度を略固定したままで、第一蝶番部と第二蝶番部との間の長さが収縮されて肘掛けの幅に合わせたテーブル本体の変形調整が可能となるため、天板の安定維持対象が拡大できる。
【００３３】
また、肘掛け側面に接する、第一挟持用側板および第一挟持用側分板および第二挟持用側板および第二挟持用側分板のいずれか、もしくは複数の一部に、滑りにくく接面を傷めにくいゴム材等の素材を取り付けてもよく、それにより肘掛け側面との接面部のズレが軽減でき挟持による天板安定効果を高めるとともに、肘掛け側面も傷めにくい。
【００３４】
また、肘掛け上面から張り出した位置で挟持機能を果たす場合の多い第二挟持用側板もしくは第二挟持用側分板には、天板に生じるモーメントを考慮して第一挟持用側板もしくは第一挟持用側分板よりも軽量な素材を使用するか、もしくは、より軽量化された構造にして天板の安定度向上を図ってもよい。      
【００３５】
また、第一挟持用側板および第一挟持用側分板および第二挟持用側板および第二挟持用側分板のいずれか、もしくは複数を種々のアーム形状にしてもよく、その場合も挟持による天板の安定維持が同様に図れる。
【００３６】
以上の効果は、折り畳みテーブルをパーティション形状の構造物や、浴槽、および着座した人間の大腿部等に装着した場合も同様に有効である。
【発明を実施するための最良の形態】
【００３７】
この発明の実施形態を以下に示す。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００３８】
折り畳みテーブル本体1の適度な大きさの天板3には、第一挟持用側板2a、第ニ挟持用側板2bが、天板3の両方の略端部に取り付けられた第一蝶番部P、第二蝶番部Qを介して、それぞれ回動可能に連結されており、第一蝶番部Pは、第一挟持用側板2aと天板下面4との挟角角度を選択的に略固定できる、角度固定および解放の機能を有した角度固定・解放ボタン15を備えており、第二挟持用側板2bは天板下面4へ接近させる方向に回動しうる付勢力をもったバネ14が取り付けられている。（図１）
【００３９】
第一蝶番部Pがソファの肘掛けの一側面Bの略上部となる位置で、第一挟持用側板2aと第二挟持用側板2bを開いた状態にして、天板3を肘掛け上面Aに略水平に載置するが、この際、第一蝶番部Pと第二蝶番部Qとの間の長さの方が肘掛けの幅より大きくなる場合が多いため、第二蝶番部Qおよび第二挟持用側板2bは肘掛け上面Aから張り出した位置にくることが多くなる。（図２）
【００４０】
さらに第一挟持用側板2aを角度固定・解放ボタン15を押して下方に回動させると肘掛けの一側面Bに接するが、その位置で角度固定・解放ボタン15を離して天板下面4と第一挟持用側板2aとの挟角角度を略固定する。この角度は９０度もしくは９０度以下が天板の略固定に適する場合が多い。（図２）
【００４１】
さらに第二挟持用側板2bをリリースすると、取り付けられたバネの付勢力によって肘掛けの他側面Cが第二挟持用側板2bによって押圧されるが、この際の第二挟持用側板2bと肘掛け他側面Cとの、正面から見た接点Rの位置を、天板下面4と肘掛け上面Aとの第二蝶番部Q側の接面端部Oを中心として半径が該接面端部Oから第二蝶番部Qまでの長さrに等しい円周上もしくはその円周付近の円内部においた場合に、該接面端部Oを支点として下方回転方向に生じる天板3へのモーメントを、第二挟持用側板2bによる天板3支持力と、略固定された第一挟持用側板2aの抗力とで力学的な平衡状態に近づけることができるため、第二挟持用側板2bの長手方向の長さQRはこの位置関係を考慮調整しながら、天板3が安定しやすい最適な長さに決定できる。（図２）
【００４２】
上記のように肘掛け他側面C上の接点Rが、接面端部Oを中心とした半径ｒの円周上におかれた場合の第二挟持用側板2bの長手方向の長さQRは、接面端部Oを挟んで正面から見たOQとORとの挟角をθとすると、挟角θの二等分線はQRの垂直二等分線ともなることから、QR = 2×r×sin(θ/2) と表され、この値は第二挟持用側板2bの長手方向の長さの最適値を決める場合の参考値とでき、その際は肘掛けに使用されるクッション性素材による沈み等も考慮して調整するとよい。（図２）
【００４３】
このように略固定された第一挟持用側板2aの抗力と、第二挟持用側板2bの支持力とで、天板3へのモーメントも考慮された力学的にも安定度の高い挟持が肘掛けの両側面B、Cに対して実現できるため、載置された天板3の略水平状態は安定して維持可能となる。（図２）
【００４４】
図３は第一挟持用側板2a、第ニ挟持用側板2bを共に折り畳んだ際の正面図。図４はその底面図で、折り畳みテーブル本体１はコンパクトで収納が容易な形状となる。
【００４５】
以上説明した実施形態のほかに、第二挟持用側板2bを伸縮自在な構造にしてもよい。例えば図５のように段階的な長さ調節を可能にするストッパー6および調節孔7を設けて第二挟持用側板2bを長手方向に伸縮自在にするなどして、第二蝶番部Qから、第二挟持用側板2bと肘掛け他側面Cとが接する部分までの長さを可変にしてもよく、そうすることで図２と同様に第二挟持用側板2bと肘掛け他側面Cとの、正面から見た接点Rが、天板下面4と肘掛け上面Aとの蝶番部Q側の接面端部Oを中心として半径が該接面端部Oから蝶番部Qまでの長さrに等しい円周上もしくはその円周付近の円内部におかれるように、肘掛けの幅に合わせた調整が実現でき、肘掛けの形態に応じた天板3の安定した略水平維持が可能となる。（図２および図５）
【００４６】
また、天板3を伸縮自在な構造にしてもよい。例えば図６のように段階的な長さ調節を可能にするストッパー8および調節孔9を設けて天板3を伸縮自在にすることで、図２と同様に第二挟持用側板2bと肘掛け他側面Cとの正面から見た接点Rが、天板3と肘掛け上面Aとの第二蝶番部Q側の接面端部Oを中心として半径が該接面端部Oから第二蝶番部Qまでの長さに等しい円周上もしくはその円周付近の円内部におかれるように、肘掛けの幅に合わせた調整が実現できるため、肘掛けの形態に応じた折り畳みテーブル本体１の変形が可能となり、天板3の安定維持対象が拡大できる。（図２および図６）
【００４７】
さらに、第二蝶番部Qが互いに独立可動可能な複数の第二分蝶番部Q1、Q2で構成され、第二分蝶番部Q1、Q2それぞれに、同様に第二挟持用側板2bを構成している第二挟持用側分板2b1、2b2が互いに独立回動可能に連結され、天板3下面方向に回動させるバネ14a、14bを有する構造にしてもよく、そうすることで肘掛け側面C（図２）の前方から後方にかけて様々な起伏を有する肘掛けに対しての挟持安定効果が向上し、天板3の安定維持対象が拡大できる。（図２および図７）
【００４８】
さらに、天板3下部と接合部13で接合された天板下支材5が互いに独立伸縮可能な複数の分天板下支材5a、5bにより構成され、さらに分天板下支材5a、5bの一部に第二挟持用側分板2b1、2b2との連結を介する第二分蝶番部Q1、Q2を備えている構造にしてもよい。例えば図８のように段階的な長さ調節を可能にするストッパー10a、10bおよび調節孔11a、11bを設けて分天板下支材5a、5bを伸縮自在にし、さらに天板3を支える突起部12a、12bを備えることで、肘掛け側面C（図２）の前方から後方にかけて起伏を有する、肘掛け前後の幅に変化のある形状に対しても効果的な挟持安定機能と天板3の安定機能を同様に発揮でき、天板3の安定維持対象が拡大できる。（図２および図８）
【図面の簡単な説明】
【００４９】
【図１】この発明の一実施形態を示す本体斜視図である。
【図２】ソファの肘掛けに載置した際の位置関係を示す本体正面図である。
【図３】第一挟持用側板、第ニ挟持用側板を共に折り畳んだ際の本体正面図である。
【図４】第一挟持用側板、第ニ挟持用側板を共に折り畳んだ際の本体底面図である。
【図５】伸縮構造を有する第二挟持用側板を強調した本体斜視図である。
【図６】伸縮構造を有する天板を強調した本体斜視図である。
【図７】独立可動する第二分蝶番部、第二挟持用側分板を強調した本体斜視図である。
【図８】独立伸縮する分天板下支材を強調した本体斜視図である。
【符号の説明】
【００５０】
1  折り畳みテーブル本体
2a  第一挟持用側板
2b  第ニ挟持用側板
2b1, 2b2  第ニ挟持用側分板
3  天板
4  天板下面
5  天板下支材
5a, 5b  分天板下支材
6  第二挟持用側板長さ調節ストッパー
7  第二挟持用側板長さ調節孔
8  天板長さ調節ストッパー
9  天板長さ調節孔
10a, 10b  分天板下支材長さ調節ストッパー
11a, 11b  分天板下支材長さ調節孔
12a, 12b  天板支え突起部
13  天板下支材接合部
14  バネ
14a, 14b  バネ
15  角度固定・解放ボタン
A  肘掛け上面
B  肘掛けの一側面
C  肘掛けの他側面
O  天板下面と肘掛け上面との第二蝶番部側の接面端部
P  第一蝶番部
Q  第二蝶番部
Q1, Q2  第二分蝶番部
QR  第二挟持用側板の長手方向の長さ
R  第二挟持用側板と肘掛け他側面が接する接点
r  天板下面と肘掛け上面との第二蝶番部側の接面端部から第二蝶番部までの長さ
θ  第二挟持用側板が肘掛けの他側面に接する接点と第二蝶番部とで接面端部を挟む挟角              
【図１】
2007151927.tif 000003
【図２】
2007151927.tif 000004
【図３】
2007151927.tif 000005
【図４】
2007151927.tif 000006
【図５】
2007151927.tif 000007
【図６】
2007151927.tif 000008
【図７】
2007151927.tif 000009
【図８】
2007151927.tif 000010